(57)【要約】【課題】複数の容器を一纏めに保持可能な容器保持具であって、容器が抜け落ちることなく、確実に容器を保持可能な容器保持具を提供する。【解決手段】容器保持具１は、底面板３に折り線２ａを介して連接された上面板２を底面板３に折り重ね、上面板２に形成された、折り線２ａと略平行な２本の谷折り線２１ａ，２２ａに沿って折曲し、上面板２に溝部２７を形成可能に構成されており、底面板３に複数形成されている保持孔３１に並列する各容器の上面近傍を挿入することで、保持孔３１の周縁に形成されている複数の係止片３２が容器の上部に係合し、それにより複数の容器を一纏めに保持することができる。【選択図】図１
2015048088.tif 000002
【特許請求の範囲】
【請求項１】
２×ｎ列（ｎは２以上の整数である。）で並列する容器の上面近傍を保持するための容器保持具であって、
前記並列する各容器の上面近傍が挿入され、当該容器を保持するための保持孔が複数形成されている底面板と、
前記底面板に折り線を介して連接され、前記折り線を介して前記底面板に折り重ねることで前記底面板の略全体を覆う上面板と
を備え、
前記上面板及び前記底面板の略中央には、それぞれ、前記上面板を前記折り線に沿って前記底面板に折り重ねたときに相互に一致する少なくとも１つの指差孔が形成されており、
前記保持孔の周縁には、前記保持孔に挿入される前記容器の挿入先端を係止可能な複数の係止片が形成されており、
前記上面板の略中央には、前記折り線に略平行な２本の谷折り線が形成され、前記上面板は、当該谷折り線に沿って折曲することで前記折り線に略平行な溝部を形成可能に構成され、
前記指差孔は、前記上面板を前記折り線に沿って前記底面板に折り重ねたときに前記溝部の底面と前記底面板とが重なる部分に形成されている
ことを特徴とする容器保持具。
【請求項２】
前記谷折り線は、前記上面板を前記折り線に沿って前記底面板に折り重ねたときに、前記溝部の底面が前記底面板に接触し得るように前記上面板に形成されていることを特徴とする請求項１に記載の容器保持具。
【請求項３】
前記溝部の側壁の立ち上がり角度が、４０°以上であることを特徴とする請求項１又は２に記載の容器保持具。
【請求項４】
前記保持孔に挿入される前記容器の挿入先端は、前記係止片の端部が当接する環状部と、前記環状部よりも下方に位置する肩部と、前記環状部及び前記肩部の間に位置し、前記環状部から前記肩部に向かって徐々に拡径する拡径部とにより構成され、
前記係止片は、前記容器の前記環状部と前記肩部とを結ぶ直線の長さの１／３以上の長さを有することを特徴とする請求項１〜３のいずれかに記載の容器保持具。
【請求項５】
前記上面板を前記折り線に沿って前記底面板に折り重ねたときに、前記上面板及び前記底面板の各端縁部により形成される開口端部に折り込まれる折り込み片が、前記上面板の両端縁部又は前記底面板の両端縁部に連接されていることを特徴とする請求項１〜４のいずれかに記載の容器保持具。
【請求項６】
前記底面板の略中央部分と、前記上面板の前記溝部の底面に対向する面とが、接着されていることを特徴とする請求項１〜５のいずれかに記載の容器保持具。
【請求項７】
請求項１〜６のいずれかに記載の容器保持具に複数の容器が保持されてなる包装製品。
【発明の詳細な説明】
【技術分野】
【０００１】
本発明は、ビール、発泡酒、チューハイ等のアルコール飲料、ジュース、コーヒー、紅茶、茶等のノンアルコール飲料等の飲料が充填された容器を複数本まとめて保持し、運搬可能な容器保持具及び当該容器保持具に複数の容器を保持してなる包装製品に関する。
【背景技術】
【０００２】
従来、缶ビール、缶ジュース等の容器を複数個、一列で又は複数列で起立させた状態のまま整列させて置き、複数個の容器からなる容器群の上面（天面）、側面及び下面（底面）を包み込むようにして包装することのできる紙製のマルチパック用包装箱が使用されている。かかるマルチパック用包装箱は、一般に、容器群の上面（天面）を覆う上面板、上面板の対向する両端部のそれぞれに連接され、容器群の側面を覆う側面板、及び各側面板の端部に連接され、容器群の下面（底面）を覆う底面板を備え、側面板が存在しない両端部において容器群の少なくとも一部の側面を視認可能な開口部が形成されている。
【０００３】
このようなマルチパック用包装箱を使用することにより、複数個の缶ビールや缶ジュース等を１個の包装体に纏め、一度にかつ簡易に持ち運ぶことができるようになり、さらに、纏め売りの効果も相俟って、当該マルチパック用包装箱の使用が近年急速に拡大しつつある。
【０００４】
その一方で、上記容器群を包装する包装箱の製造コストのさらなる低減、省資源化等を目的として、従来、一列又は複数列で起立させた状態で整列させた容器群の上面（天面）のみを保持することのできる紙製の容器保持具が提案されている。
【０００５】
このような紙製の容器保持具として、例えば、頂部パネルと、底部パネルと、折り線を介して２つの板部を連結する側部とを備え、底部パネルには、容器の上部が挿入され得る複数の穴が形成され、各穴の外周には、各穴に挿入された容器の上部を係止可能な複数の係止片が形成されているもの等が提案されている（特許文献１〜３参照）。
【先行技術文献】
【特許文献】
【０００６】
【特許文献１】特表平８−５０８７０２号公報
【特許文献２】特開平３−４３３６５号公報
【特許文献３】特開平１１−１９３０５９号公報
【発明の概要】
【発明が解決しようとする課題】
【０００７】
従来の上記容器保持具においては、底部パネルに形成されている各穴に容器の上部を挿入すると、複数の係止片の先端部が容器のネック部分に摺接するようにして各係止片が上方（缶容器の挿入方向）に折り曲げられ、各係止片の先端部が容器の上部（容器が缶容器であれば巻締部）に当接することで、各容器が保持される。そして、上記容器保持具は、頂部パネルと底部パネルとを連通する２つの指差穴を有しており、当該指差穴に手指を差し込み、頂部パネル及び底部パネルの２つの指差穴の間の部分により構成される把持部を持つことで、当該容器保持具を保持し、持ち運ぶことができる。
【０００８】
しかしながら、特許文献１及び３に開示されている容器保持具においては、容器の上部のみが保持され、底部が保持されないことで、頂部パネルと底部パネルとを連通する指差穴に手指を挿入して持ち上げたときに、底部パネルの長手方向に沿った中心線（底部パネルの２つの短辺の中心点を結ぶ線分）近傍（特に指差穴周辺）が上方に凸となるように、頂部パネルに比して底部パネルが大きく湾曲する。その一方で、保持している容器の重量により、各係止片には下方向の力がかかることになる。そのため、容器保持具を持ち上げたときに、当該中心線の近傍に位置する係止片が、容器の上部（缶容器の場合、巻締部）から外れやすくなり、保持されている容器が抜け落ちるおそれがある。特に、容器保持具が破損してしまったときなどに、保持されている容器が抜け落ちるおそれがある。
【０００９】
また、特許文献２に開示されている容器保持具においては、底部パネルの長手方向に沿う中心線に沿って中央フラップが形成されており、当該中央フラップの上面が頂部パネルに当接している。これにより、指差穴に手指を挿入して持ち上げたときに、中央フラップの上面と頂部パネルとが当接していることで、特許文献１及び３に開示の容器保持具のように、底部パネルのみが湾曲してしまうことはない。
【００１０】
しかしながら、特許文献２に開示されている容器保持具においては、底部パネル全体としてみると、中央フラップが上方に凸に構成されていることで、上方向にかかる力に対する剛性が低く、頂部パネルと底部パネルとが一体となって、指差穴周辺が上方に凸となるように湾曲するおそれがある。また、底部パネルに中央フラップを設けることで、容器の上部が挿入される穴の外周のうちの中央フラップ側には係止片が形成されていない。そのため、当該容器保持具を持ち上げた状態で揺らしたときなどに、保持されている容器が抜け落ちてしまうおそれがある。
【００１１】
上記課題に鑑みて、本発明は、複数の容器を一纏めに保持可能な容器保持具であって、容器が抜け落ちることなく、確実に容器を保持可能な容器保持具及び当該容器保持具に容器が保持されてなる包装製品を提供することを目的とする。
【課題を解決するための手段】
【００１２】
上記課題を解決するために、本発明は、２×ｎ列（ｎは２以上の整数である。）で並列する容器の上面近傍を保持するための容器保持具であって、前記並列する各容器の上面近傍が挿入され、当該容器を保持するための保持孔が複数形成されている底面板と、前記底面板に折り線を介して連接され、前記折り線を介して前記底面板に折り重ねることで前記底面板の略全体を覆う上面板とを備え、前記上面板及び前記底面板の略中央には、それぞれ、前記上面板を前記折り線に沿って前記底面板に折り重ねたときに相互に一致する少なくとも１つの指差孔が形成されており、前記保持孔の周縁には、前記保持孔に挿入される前記容器の挿入先端を係止可能な複数の係止片が形成されており、前記上面板の略中央には、前記折り線に略平行な２本の谷折り線が形成され、前記上面板は、当該谷折り線に沿って折曲することで前記折り線に略平行な溝部を形成可能に構成され、前記指差孔は、前記上面板を前記折り線に沿って前記底面板に折り重ねたときに前記溝部の底面と前記底面板とが重なる部分に形成されていることを特徴とする容器保持具を提供する（発明１）。
【００１３】
上記発明（発明１）においては、前記谷折り線は、前記上面板を前記折り線に沿って前記底面板に折り重ねたときに、前記溝部の底面が前記底面板に接触し得るように前記上面板に形成されているのが好ましい（発明２）。
【００１４】
上記発明（発明１，２）においては、前記溝部の側壁の立ち上がり角度が、４０°以上であるのが好ましい（発明３）。
【００１５】
上記発明（発明１〜３）においては、前記保持孔に挿入される前記容器の挿入先端は、前記係止片の端部が当接する環状部と、前記環状部よりも下方に位置する肩部と、前記環状部及び前記肩部の間に位置し、前記環状部から前記肩部に向かって徐々に拡径する拡径部とにより構成され、前記係止片は、前記容器の前記環状部と前記肩部とを結ぶ直線の長さの１／３以上の長さを有するのが好ましい（発明４）。
【００１６】
上記発明（発明１〜４）においては、前記上面板を前記折り線に沿って前記底面板に折り重ねたときに、前記上面板及び前記底面板の各端縁部により形成される開口端部に折り込まれる折り込み片が、前記上面板の両端縁部又は前記底面板の両端縁部に連接されているのが好ましい（発明５）。
【００１７】
上記発明（発明１〜５）においては、前記底面板の略中央部分と、前記上面板の前記溝部の底面に対向する面とが、接着されているのが好ましい（発明６）。
【００１８】
また、本発明は、上記発明（発明１〜６）に係る容器保持具に複数の容器が保持されてなる包装製品を提供する（発明７）。
【発明の効果】
【００１９】
本発明によれば、複数の容器を一纏めに保持可能であり、容器が抜け落ちることなく、確実に容器を保持可能な容器保持具及び当該容器保持具に容器が保持されてなる包装製品を提供することができる。
【図面の簡単な説明】
【００２０】
【図１】図１は、本発明の一実施形態に係る容器保持具を示す展開図である。
【図２】図２は、本発明の一実施形態に係る容器保持具（容器が保持された状態）を示す側面図である。
【図３】図３は、本発明の一実施形態に係る容器保持具の溝部の概略構成を示す断面図である。
【図４】図４は、本発明の一実施形態に係る容器保持具により容器を保持しているときの係止片の状態を示す断面図である。
【図５】図５は、本発明の一実施形態に係る容器保持具により容器を保持しているときの上面板の状態を示す斜視図である。
【図６】図６は、本発明の一実施形態に係る容器保持具により保持され得る容器の一例を示す斜視図である。
【図７】図７は、本発明の他の実施形態に係る容器保持具（容器が保持された状態）を示す概略斜視図である。
【発明を実施するための形態】
【００２１】
以下、本発明の一実施形態に係る容器保持具について、図面を参照しながら説明する。なお、本実施形態においては、容器としての缶ビールを６個（２×３列に並列配置）保持することのできる容器保持具を例に挙げて説明するが、本発明に係る容器保持具は、このような態様に限定されるものではない。
【００２２】
図１は、本実施形態に係る容器保持具を示す展開図であり、図２は、図１に示す展開シートを組み立てた本実施形態に係る容器保持具（容器が保持された状態）を示す側面図であり、図３は、本実施形態に係る容器保持具の溝部の概略構成を示す断面図である。
【００２３】
本実施形態に係る容器保持具１において保持対象となる容器１００は、容器胴部１１０と、容器胴部１１０の開口上端を覆う缶蓋１１２と、開口上端を缶蓋１１２の周縁で巻き締めることにより形成された環状の巻締部１１３とを有する（図６参照）。そして、容器１００の上部近傍は、当該巻締部１１３と、巻締部１１３よりも下方に位置する肩部１１４と、巻締部１１３から肩部１１４に向かって徐々に拡径する拡径部１１５とにより構成される（図６参照）。本実施形態における容器１００の巻締部１１３から肩部１１４までの直線長さＬ（図４参照）は、１０〜１５ｍｍ程度である。なお、本発明の容器保持具１において保持対象となる容器１００は、このような態様に限定されるものではない。
【００２４】
本実施形態に係る容器保持具１は、図１に示す展開シートを組み立てることによって形成され得るものであり、当該展開シートは、略矩形形状をなしている。
【００２５】
図１及び図２に示すように、本実施形態に係る容器保持具１は、上面板２及び底面板３と、底面板３の短辺側の端縁に折り線４ａ，５ａを介してそれぞれ連接される折り込み片４，５とを備え、上面板２及び底面板３が８角形のコーナーカット形状を有している。
【００２６】
上面板２及び底面板３は、１本の折り線２ａを介して連接されており、上面板２は、その折り線２ａに沿って上面板２を底面板３に折り重ねることで、底面板３の略全体を覆い得る大きさを有する。
【００２７】
上面板２及び底面板３のそれぞれには、上面板２及び底面板３のそれぞれの短辺の中心を結ぶ仮想線分ＶＬ１，ＶＬ２に重なる、手指を差し込んで持ち上げるための２つのフィンガーホール（指差孔）２５，３５が、上面板２及び底面板３の長手方向に沿って並列して形成されている。上面板２のフィンガーホール２５と底面板３のフィンガーホール３５とは、折り線２ａに沿って上面板２を底面板３に折り重ね、容器保持具１を組み立てたときに、互いに重なるように（一致するように）形成されている。そして、折り線２ａに沿って上面板２を底面板３に折り重ねたときに、２つのフィンガーホール２５，２５（３５，３５）間の上面板２（底面板３）部分が、容器保持具１を持ち上げるときの把持部を構成する。
【００２８】
上面板２の短手方向略中央には、上面板２の上記仮想線分ＶＬ１に沿って、略平行な２つの折り線２１ａ，２２ａが形成されており、展開シートを組み立てた容器保持具１において、２つの折り線２１ａ，２２ａに沿って折り曲げることで、上面板２の長手方向（図１中の横方向）に沿う溝部２７を形成することができる（図２参照）。なお、２つの折り線２１ａ，２２ａは、互いに平行であるのが望ましいが、平行から±１°までの範囲で形成されていればよい。
【００２９】
溝部２７を形成するための２つの折り線２１ａ，２２ａは、折り線２ａに沿って上面板２を底面板３に折り重ねたときに、溝部２７の底面２８に対向する面が底面板３に当接するように形成されている（図３参照）。そして、溝部２７の底面２８に対向する面が底面板３に当接する部分は接着剤を塗布可能な領域（接着剤塗布可能領域）として構成されており、当該領域に接着剤を塗布することで、上面板２の溝部２７の底面２８に対向する面と底面板３とを、接着剤を介して接着することができる。なお、当該領域に塗布され得る接着剤としては、特に制限はないが、例えば、熱可塑性接着剤等を好適に用いることができる。
【００３０】
溝部２７の側壁２６の立ち上がり角度θは、４０°以上であるのが好ましく、５０〜６０°であるのが特に好ましい。本実施形態に係る容器保持具１において、２つのフィンガーホール２５（３５），２５（３５）に手指を差し込んで持ち上げたときに、底面板３に対して上方向の力がかかり、上方に凸になるように底面板３が変形しやすくなるが、上面板２に溝部２７が形成されていることで、溝部２７の側壁２６の存在により底面板３が上記のように変形しようとする力に対抗することができる。特に、溝部２７の側壁２６の立ち上がり角度θが４０°以上であることで、底面板３の上記変形しようとする力に効果的に対抗することができ、後述する係止片３２により確実に容器１００を保持することができる。
【００３１】
底面板３には、２×３列で並列配置される６個の容器に対応して、それらを保持するための６個の保持孔３１が形成されている。保持孔３１は、保持孔３１に挿入され保持される容器１００の肩部１１４の外径よりも若干小さい内径で底面板３に形成されている。
【００３２】
上記保持孔３１の周縁には、保持孔３１に挿入される容器１００の挿入先端を係止可能な複数（本実施形態においては各保持孔３１に８個）の係止片３２が所定の間隔をもって形成されている。複数の係止片３２は、略台形状をなしており、それぞれその先端部３３が保持孔３１の中心に向かうようにして、放射状に形成されている。この各係止片３２が基部３４から折れ曲がり、係止片３２の先端部３３が、保持孔３１に挿入された容器１００の巻締部１１３に当接することで、容器１００を保持することができる（図４参照）。
【００３３】
図４に示すように、各係止片３２の基部３４から先端部３３までの長さＬ32は、容器保持具１により保持される容器１００の巻締部１１３と肩部１１４とを結ぶ直線長さＬよりも短い限り、適宜設定可能である。容器１００が保持孔３１に挿入されたとき、先端部３３が上方に向くようにして係止片３２の基部３４から折れ曲がるが、係止片３２の長さＬ32が、上記直線長さＬよりも短いことで、係止片３２の基部３４が容器１００の拡径部１１５に当接するため、容器１００を確実に保持することができる。好ましくは、係止片３２の長さＬ32は、上記直線長さＬの１／３以上であり、より好ましくは１／２以上であり、特に好ましくは２／３以上である。係止片３２の長さＬ32が、上記直線長さＬの１／３未満であると、本実施形態に係る容器保持具１による容器１００の保持力が低下し、容器１００が脱落するおそれがある。
【００３４】
底面板３の短辺側の端縁に折り線４ａ，５ａを介してそれぞれ連接される折り込み片４，５は、当該折り線４ａ，５ａを介して折り曲げられ、上面板２と底面板３との間に嵌り込む。これにより、容器保持具１を持ち上げたときに、容器保持具１（上面板２及び底面板３）が湾曲するのを、より抑制することができる。
【００３５】
折り線２ａに対向する上面板２の端縁部には、２つの係止孔６ａ，６ａが形成されており、折り線２ａに対向する底面板３の長辺には、折り線３ａを介して、上面板２の係止孔６ａ，６ａに挿入して、上面板２と底面板３とを係合可能な２つの係止爪７ａ，７ａが連接されている。そして、底面板３の長辺の２つの係止爪７ａ，７ａの両側には、折り線３ａを介して、フラップ８が連接されている。
【００３６】
なお、上面板２には、２×３列で並列配置される６個の容器１００のそれぞれに対応するように、容器１００ごとに１対の略コの字状の切り込み線２４Ａが形成されているとともに、上面板２の長手方向に沿う折り線２３ａが形成されている。当該折り線２３ａ及び切り込み線２４Ａは、上面板２の長手方向に交互に並び、かつ折り線２３ａの端部と切り込み線２４Ａの端部とが連続するように形成されている。また、略コの字状の切り込み線２４Ａに至る放射状の切り込み線２５Ａが上面板２に形成されている。この略コの字状の切り込み線２４Ａ及びそれに至る放射状の切り込み線２５Ａが上面板２に形成されていることで、本実施形態に係る容器保持具１に容器１００を保持させたときに、容器１００の巻締部１１３の上方が略コの字状の切り込み線２４Ａに係合し、容器１００の保持力を向上させる効果が奏される。
【００３７】
次に、上述した容器保持具１の具体的作用について説明する。
２×３列で並列配置された６個の容器１００の上部を底面板３の各保持孔３１に挿入する。このとき、各保持孔３１の係止片３２は、容器１００の缶蓋１１２（巻締部１１３）により押し上げられて、先端部３３が上方に向くようにして基部３４から折り曲げられる。そして、巻締部１１３が保持孔３１を通過すると、各係止片３２が容器１００の拡径部１１５に摺接し、巻締部１１３の下側に係止片３２の先端部３３が当接する。
【００３８】
次に、底面板３の接着剤塗布可能領域に接着剤（図示省略）を塗布し、折り線２ａに沿って上面板２を折り重ね、２つの係止爪７ａ，７ａを係止孔６ａ，６ａに挿入する。その状態で、上面板２の２本の折り線２１ａ，２２ａの間の領域を押圧することにより、上面板２に溝部２７を形成しつつ、上面板２と底面板３とを接着する。このとき、折り線２３ａに沿って、上面板２を折り曲げることで、略コの字状の切り込み線２４ａ近傍に容器１００の巻締部１１３の上方部分が当接する。そして、放射状の切り込み線２５Ａが形成されていることで、上面板２の切り込み線２４Ａの外側部分にフラップ２９が形成され、容器１００の形状に沿うように当該フラップ２９が立ち上がる（図５参照）。このフラップ２９が、巻締部１１３の下側に当接する係止片３２を容器１００側（拡径部１１５側）に押し付ける作用を奏する。これにより、容器１００の巻締部１１３から係止片３２が外れ難くなり、容器１００をより確実に保持することができる。
【００３９】
このようにして、本実施形態に係る容器保持具１に複数の容器１００が保持されてなる包装製品が完成する。かかる包装製品において、上面板２のフィンガーホール２５と底面板３のフィンガーホール３５とは、重なり合い、一致しているため、容器保持具１のフィンガーホール２５，３５を手指で押し開け、当該フィンガーホール２５，３５に手指を挿入することで、上面板２と底面板３とを一体として持ち上げることができる。
【００４０】
このようにして上記包装製品を持ち上げたとき、底面板３のフィンガーホール３５周辺に上方向の力がかかることになる。しかしながら、本実施形態に係る容器保持具１においては、上面板２の長手方向に沿う溝部２７を有することで、底面板３の剛性が高くなり、上方向の力に対抗することができ、底面板３のみが大きく湾曲することがない。
【００４１】
また、底面板３のフィンガーホール３５周辺に上方向の力がかかり、底面板３が大きく湾曲すると、上部のみが保持されている容器１００の底部は、容器保持具１の平面視中央に寄る方向に移動しようとする。これにより、容器１００を保持する複数の係止片３２のうち、底面板３の短辺の中心点を結ぶ仮想線分ＶＬ２の近傍に位置する係止片３２が、容器１００の巻締部１１３から特に外れやすくなる。しかし、本実施形態に係る容器保持具１においては、底面板３の剛性が高く、湾曲し難い構成を有することで、上記係止片３２が容器１００の巻締部１１３から外れるのを抑制することができ、容器１００を確実に保持することができる。
【００４２】
さらに、容器１００の重量に応じて、各係止片３２に下方向の力がかかるが、底面板３の剛性が高く、容器保持具１が全体として湾曲し難く構成されているため、各係止片３２にかかる下方向の力にも十分に対抗することができる。そのため、本実施形態に係る容器保持具１によれば、係止片３２の先端部３３が巻締部１１３に当接されている容器１００を確実に保持することができ、容器１００が脱落することを抑制することができる。
【００４３】
また、容器１００が保持された容器保持具１や、複数の容器保持具１を纏めて収納した段ボール製包装箱等の落下等により、容器保持具１に衝撃が加わったとしても、上面板２と底面板３とが接着剤により接着されていることで、容器保持具１の強度が増し、破損等が生じるのを抑制することができるという効果も奏する。
【００４４】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００４５】
上記実施形態においては、２×３列で並列配置された６個の容器１００を保持可能な容器保持具１を例に挙げて説明したが、本発明はこのような態様に限定されるものではなく、２×２列に配列した４個の容器１００を保持可能なもの、２×４列に配列した８個の容器１００を保持可能なもの等、２×ｎ列（ｎは２以上の整数である）で並列配置された容器１００を保持可能なものであってもよい。
【００４６】
例えば、図７に示すように、２×２列に配列した４個の容器１００を保持可能な容器保持具１において、上面板２及び底面板３の略中央には、それぞれ、手指を差し込んで持ち上げるための１つのフィンガーホール（指差穴）２５，３５が形成されている。
【００４７】
上面板２の略中央には、上面板２の対向する２つの端辺に至る、互いに略平行な２つの折り線２１ａ，２２ａが形成されており、展開シートを組み立てた容器保持具１において、２つの折り線２１ａ，２２ａに沿って折り曲げることで、上面板２の対向する２つの端辺に至る溝部２７を形成することができる。上記１つのフィンガーホール２５，３５は、上面板２及び底面板３の略中央であって、この溝部２７に重なるように形成されている。
【００４８】
このような態様の容器保持具１においては、例えば、４個の容器１００を保持した状態でフィンガーホール２５（３５）に１本の指を差し込み、他の１本の指で上面板２の一端部を支持することで、容器１００を保持した容器保持具１を持ち上げることができる。
【００４９】
上記実施形態においては、上面板２と底面板３とを接着剤により接着しているが、本発明はこのような態様に限定されるものではなく、上面板２と底面板３とを接着しなくてもよい。また、上面板２の溝部２７の底面２８に対向する面が底面板３に当接していなくてもよい。この場合において、容器１００を保持する容器保持具１を持ち上げたときに、底面板３が多少は湾曲してしまう。しかし、上面板２の溝部２７の底面２８に対向する面が、わずかに湾曲した底面板３に当接することで、それ以上に底面板３が湾曲するのを抑制することができ、十分に容器１００を保持することができる。
【実施例】
【００５０】
以下、実施例及び比較例を挙げて本発明をさらに詳細に説明するが、本発明は、下記の実施例等に何ら限定されるものではない。
【００５１】
［試験例１］引張強度試験
〔実施例１〕
３５０ｍＬ缶ビール６本を保持可能な容器保持具１（図１に示す展開状態のものを組み立ててなる容器保持具１）を５つ作製した。なお、容器１００としての缶ビールの巻締部１１３から肩部１１４までの直線長さＬ（図４参照）は１２ｍｍであり、係止片３２の長さＬ32（図４参照）を８．８４ｍｍとした。
【００５２】
各容器保持具１に３５０ｍＬ缶ビール６本を保持させ、各缶ビールの底部を拘束した状態で、オートグラフ（島津製作所社製，製品名：ＡＧ−ＩＳ）を用いて、指差孔２５，３５により構成される把持部を２００ｍｍ／分で引っ張り、引張強度を測定した（室温：２３℃、相対湿度：５０％）。そして、５つの容器保持具１の引張強度測定値の平均値を算出した。結果を表１に示す。
【００５３】
〔実施例２〕
上面板２と底面板３とを接着しなかった以外は、実施例１と同様の構成の容器保持具１を５つ作製し、実施例１と同様にして引っ張り強度を測定した。そして、５つの容器保持具１の引張強度測定値の平均値を算出した。結果を表１にあわせて示す。
【００５４】
〔実施例３〕
溝部２７の深さを１／３にし、溝部２７の底面２８に対向する面と底面板３とが当接しない構成にした以外は、実施例２と同様の構成の容器保持具１を５つ作製し、実施例１と同様にして引っ張り強度を測定した。そして、５つの容器保持具１の引張強度測定値の平均値を算出した。結果を表１にあわせて示す。
【００５５】
〔実施例４〕
実施例１において、溝部２７の底面２８に対向する面と底面板３とが当接し、かつ溝部２７の深さを２／３にするために、上面板２の短手方向長さを短くし、かつ係止片３２の長さＬ32（５．３４ｍｍ）を短くした以外は、実施例１と同様の構成の容器保持具１を５つ作製し、実施例１と同様にして引っ張り強度を測定した。そして、５つの容器保持具１の引張強度測定値の平均値を算出した。結果を表１にあわせて示す。
【００５６】
〔実施例５〕
上面板２と底面板３とを接着しなかった以外は、実施例４と同様の構成の容器保持具１を５つ作製し、実施例１と同様にして引っ張り強度を測定した。そして、５つの容器保持具１の引張強度測定値の平均値を算出した。結果を表１にあわせて示す。
【００５７】
【表１】
2015048088.tif 000003
【００５８】
表１において、各実施例の引張強度は、実施例４の引張強度測定値の平均値を「１」としたときの比で表している。表１に示す結果から明らかなように、溝部２７の深さを深くすることで、容器保持具１の引張強度を向上させ得ることが確認された。また、接着剤により上面板２と底面板３とを接着することで、容器保持具１の引張強度をより向上させ得ることが確認された。
【００５９】
〔試験例２〕落下強度試験
３５０ｍＬ缶ビール６本を保持させた容器保持具１を４パック収納可能な大きさを有する段ボール製包装箱に、実施例１及び実施例２の容器保持具１（３５０ｍＬ缶ビール６本を保持）をそれぞれ４パックずつ梱包し、当該段ボール製包装箱を落下衝撃試験機で角度４０度のまま、所定の高さ（２０ｃｍ）から落下させ、その際に容器保持具１の破損や缶ビールの脱落の有無を試験した。
【００６０】
その結果、実施例２の容器保持具１においては、一部において缶ビールの脱落が発生していたが、実施例１の容器保持具１においては、缶ビールの脱落が生じなかった。このことから、接着剤により上面板２と底面板３とを接着することで、衝撃に対する強度を向上させることが可能であることが確認された。
【００６１】
〔試験例３〕容器保持力試験
実施例１及び実施例２の容器保持具１（３５０ｍＬ缶ビール６本を保持）を３パック用意し、指差孔２５，３５に手指を挿入して持ち上げた状態で揺動させて、缶ビールの脱落の有無を試験した。なお、上記揺動は、腕を前後方向に５回振った後、左右方向に５回振り、最後に５回手首を回転させた。試験条件としては、ドライ条件（室温：２３℃、相対湿度：５０％）及び結露条件（室温５℃の低温庫から室温３０℃、相対湿度８０％の室内へ）にて行った。
【００６２】
その結果、実施例２の容器保持具１においては、一部において缶ビールの脱落が発生していたが、実施例１の容器保持具１においては、缶ビールの脱落が生じなかった。特に、実施例２の容器保持具１においては、結露条件にて缶ビールの脱落が生じやすかった。このことから、接着剤により上面板２と底面板３とを接着することで、容器の保持力を向上させることが可能であることが確認された。
【産業上の利用可能性】
【００６３】
本発明の容器保持具は、一定数量の缶ビール、缶入り発泡酒、缶入りチューハイ、缶ジュース、缶コーヒー、缶入り紅茶、缶入り緑茶等の飲料缶（容器詰飲料）などをまとめて保持するための包装用品として有用である。
【符号の説明】
【００６４】
１…容器保持具
２…上面板
２５…フィンガーホール（指差孔）
２７…溝部
３…底面板
３１…保持孔
３２…係止片
３３…先端部
３５…フィンガーホール（指差孔）
１００…容器
１１３…巻締部（環状部）
１１４…肩部
１１５…拡径部
【図１】
2015048088.tif 000004
【図２】
2015048088.tif 000005
【図３】
2015048088.tif 000006
【図４】
2015048088.tif 000007
【図５】
2015048088.tif 000008
【図６】
2015048088.tif 000009
【図７】
2015048088.tif 000010